(57)【要約】【課題】開封が容易で、飲料を飲む際における衛生面に優れ、飲料の漏れ出しもないストロー付き飲料パウチを提供する。【解決手段】飲料が充填される本体部１の上部に、飲料を吸い出すストロー２をカバー部３で覆って取り付けた飲料パウチにおいて、前記カバー部３を形成するため、１枚のカバーフィルム６を二つ折りにして、その折目側の下部を本体部１のボディーフィルム４間に挟み、カバーフィルム６の内側に、二重構造のストロー２を挿入し、ストロー２の外パイプ７とカバーフィルム６とボディーフィルム４とを熱圧着して、ストロー２の両側には、カバー部３がストロー２に対し上方へ旋回できる空間を形成し、カバー部３の下部に、カバーフィルム６を切断する切目線９を入れ、ストロー２の内パイプ８を押し下げて、その下端でカバーフィルム６を突き破るようにする。【選択図】図１
2007118968.tif 000002
【特許請求の範囲】
【請求項１】
飲料が充填される本体部１の上部に、飲料を吸い出すストロー２をカバー部３で覆って取り付けた飲料パウチにおいて、前記カバー部３を形成するため、１枚のカバーフィルム６を二つ折りにして、その折目側の下部を本体部１のボディーフィルム４間に挟み、カバーフィルム６の内側に、二重構造のストロー２を挿入し、ストロー２の外パイプ７とカバーフィルム６とボディーフィルム４とを熱圧着して、ストロー２の両側には、カバー部３がストロー２に対し上方へ旋回できる空間を形成し、カバー部３の下部に、カバーフィルム６を切断する切目線９を入れ、ストロー２の内パイプ８を押し下げて、その下端でカバーフィルム６を突き破るようにしたことを特徴とするストロー付き飲料パウチ。
【発明の詳細な説明】
【技術分野】
【０００１】
この発明は、充填された飲料を吸い出すストロー付き飲料パウチに関するものである。
【背景技術】
【０００２】
近年、ゼリー状飲料の包装容器として、ストロー付き飲料パウチが多用されるようになっている。このような飲料パウチでは、一般に、ストローの上端部に繋部付きのキャップを被せ、飲料を飲む際には、繋部をねじ切ってキャップを外し、ストローの上端を開口させて、飲料を吸い出せるようにしている。
【０００３】
ところが、このようなキャップを被せたストロー付きのパウチは、開封に多大な力を要し、高齢者や子供には開封しにくいという問題があり、また、キャップで覆われないストローの外周が流通過程等において不衛生になりやすいため、ストローをカバー部のフィルムで覆うことが考えられる。
【０００４】
例えば、下記特許文献１には、本体部の一側に上方へ延びるカバー部を形成し、飲料を飲む際には、カバー部の周囲に設けた帯材を引っ張ってカバー部を切り取り、ストローを下方へ押して、その下端でカバー部の下方のフィルムの折目部分を突き破り、飲料を吸い出せるようにしたものが記載されている。
【０００５】
【特許文献１】実開昭５６−１４７２５０号公報
【発明の開示】
【発明が解決しようとする課題】
【０００６】
しかしながら、特許文献１に記載の飲料パウチでは、開封時にカバー部を切り取る際、帯材をカバー部の周方向に回すように引っ張らなければならず、重なり合ったフィルムが切れにくいという問題がある。
【０００７】
また、ストローを本体部に対してスライドさせる必要があることから、ストローの周囲を本体部に対して完全にシールすることができないため、飲料を飲む際、本体部を強く握ると、ストローの周囲から飲料が漏れ出すおそれがある。
【０００８】
そこで、この発明は、開封が容易で、飲料を飲む際における衛生面に優れ、飲料の漏れ出しもないストロー付き飲料パウチを提供することを課題とする。
【課題を解決するための手段】
【０００９】
上記課題を解決するため、この発明は、飲料が充填される本体部の上部に、飲料を吸い出すストローをカバー部で覆って取り付けた飲料パウチにおいて、前記カバー部を形成するため、１枚のカバーフィルムを二つ折りにして、その折目側の下部を本体部のボディーフィルム間に挟み、カバーフィルムの内側に二重構造のストローを挿入し、ストローの外パイプとカバーフィルムとボディーフィルムとを熱圧着して、ストローの両側には、カバー部がストローに対し上方へ旋回できる空間を形成し、カバー部の下部に切目線を入れ、飲料を飲む際には、カバー部を切目線で切断し、ストローの内パイプを押し下げて、その下端でカバーフィルムを突き破り、飲料を吸い出せるようにしたのである。
【発明の効果】
【００１０】
このストロー付き飲料パウチでは、流通時にストローがカバー部で覆われているので、キャップ式のものより衛生的であり、飲料を飲む際、カバー部の一側を摘んで上方へ引っ張るだけで、ボディーフィルムを切断することなく、カバーフィルムのみを切目線沿いに切断して、カバー部を容易に切り取ることができるので、開封に手間取ることがない。
【００１１】
また、ストローの外パイプを本体部に対して完全にシールできるので、ストローの内パイプの下端でカバーフィルムを突き破って飲料を飲む際、本体部を強く握っても、ストローの周囲から飲料が漏れ出すことがない。
【発明を実施するための最良の形態】
【００１２】
以下、この発明の実施形態を添付図面に基づいて説明する。
【００１３】
図１に示すように、この飲料パウチは、飲料が充填される本体部１の上部に、飲料を吸い出すストロー２をカバー部３で覆って取り付けたものである。本体部１に充填する飲料は、ジュース等の清涼飲料のほか、ゼリー状飲料や流動食状の飲料であってもよい。
【００１４】
上記本体部１は、２枚のボディーフィルム４を重ね、底部を底フィルム５で閉じて形成され、カバー部３は、１枚のカバーフィルム６を折り重ねて形成されている。ストロー２は、外パイプ７に内パイプ８をスライド自在に挿通した二重構造とされ、本体部１とカバー部３の境界には、ボディーフィルム４の上縁に沿って両端の切込間に亘るミシン目状の切目線９が入れられている。
【００１５】
この飲料パウチの製袋工程では、図２に示すように、底フィルム５を上部が折目側となるように二つ折りにし、また、予め切目線９を入れたカバーフィルム６を下部が折目側となるように二つ折りにして、底フィルム５を２枚のボディーフィルム４の下部間に挟むと共に、カバーフィルム６の下部を２枚のボディーフィルム４の上部間に挟み、カバーフィルム６の内側にストロー２を上方から挿入する。
【００１６】
次に、ストロー２の外パイプ７とカバーフィルム６とボディーフィルム４とを、ボディーフィルム４の上縁に沿って熱圧着すると共に、ボディーフィルム４及びカバーフィルム６の外周部を、本体部１の片側を除いてそれぞれ熱圧着する。このとき、ストロー２の両側には、カバー部３がストロー２に対し上方へ旋回できるように、半円状の未圧着空間を形成しておく。
【００１７】
その後、本体部１及びカバー部３の輪郭を打ち抜くと、飲料パウチが分離して、図３に示すように、飲料充填前の製袋が完了する。この状態では、飲料パウチの本体部１の片側が熱圧着されずに開いた状態となっている。
【００１８】
一方、飲料メーカーでこの飲料パウチに飲料を充填する工程においては、図４に示すように、飲料パウチを開口側が上方へ向くように横倒しにして、ガイド１０で受け止め、本体部１の２枚のボディーフィルム４を吸引具１１で引き離し、空気を本体部１に入れて、本体部１を膨らませる。
【００１９】
次に、図５に示すように、充填機のノズル１２から噴出する飲料を、本体１の内部に開口部から注入し、飲料の液面が所定高さに達したとき、飲料の注入を停止して、図６に示すように、高温となった一対のシールバー１３で本体部１の開口に臨む端部を挟み、ボディーフィルム４を熱圧着して、図１に示すように、飲料パウチを封緘する。
【００２０】
このように封緘した状態では、ストロー２がカバー部３で覆われているので、飲料パウチを飲料の製造元から小売店まで配送する流通過程や、購入した消費者が飲料を飲むため開封する際に、ストロー２の口に含む部分に汚れや雑菌が付着することがなく、衛生状態が保持される。
【００２１】
そして、消費者が開封する際には、図７に示すように、カバー部３のいずれか一側を摘んで上方へ引っ張り、カバーフィルム６を切目線９で切断して、カバー部３を切り取ると共に、ストロー２の内パイプ８を下方へ押して、その尖った下端でカバーフィルム６の折目部分を突き破り、図８に示すように、飲料を吸い出せるようにする。
【００２２】
また、先にストロー２の内パイプ８を下方へ押して、カバーフィルム６の折目部分を突き破り、その後、カバー部３の一側を上方へ引っ張って、カバーフィルム６を切目線９で切断し、カバー部３を切り取るようにしてもよい。
【００２３】
このように、上記飲料パウチでは、カバー部３の一側を摘んで上方へ引っ張るだけで、ボディーフィルム４を切断することなく、カバーフィルム６のみを切目線９沿いに切断して、カバー部３を容易に切り取ることができるので、開封に手間取ることがない。
【００２４】
また、ストロー２の外パイプ７を本体部１に対して完全にシールできるので、ストロー２の内パイプ８の下端でカバーフィルム６を突き破って飲料を飲む際、本体部１を強く握っても、ストロー２の周囲から飲料が漏れ出すことがない。
【００２５】
なお、上記実施形態では、カバー部３の外周を弧状に切断したが、図９に示すように、カバー部３の圧着部分を角張った形状に残しておき、その部分に指入穴１４を形成し、カバー部３を切り取る際、指入穴１４に指を掛けて上方へ引っ張るようにしてもよい。
【００２６】
また、上記各実施形態において、カバー部３の幅は、本体部１の幅と同等としたが、本体部１の幅に対して、カバー部３の幅が０．５倍〜１．５倍の範囲にあれば、開封時にカバー部３を容易に切り取ることができる。
【００２７】
また、このように本体部１にストロー２を覆うカバー部３を設ける構造は、上記実施形態で例示した底に襠を有するスタンディング式のパウチのほか、両側に襠を有するサイドガセット式のパウチにも適用することができる。
【図面の簡単な説明】
【００２８】
【図１】この発明に係る飲料パウチの第１実施形態を示す斜視図
【図２】同上の製袋工程を示す斜視図
【図３】同上の飲料充填前の製袋状態を示す斜視図
【図４】同上の充填工程の初期状態を示す斜視図
【図５】同上の飲料注入状態を示す斜視図
【図６】同上の熱圧着による封緘段階を示す斜視図
【図７】同上の飲料パウチの開封過程を示す斜視図
【図８】同上の飲料パウチの開封状態を示す斜視図
【図９】この発明に係る飲料パウチの第２実施形態を示す斜視図
【符号の説明】
【００２９】
１  本体部
２  ストロー
３  カバー部
４  ボディーフィルム
５  底フィルム
６  カバーフィルム
７  外パイプ
８  内パイプ
９  切目線
１０  ガイド
１１  吸引具
１２  ノズル
１３  シールバー
１４  指入穴
【図１】
2007118968.tif 000003
【図２】
2007118968.tif 000004
【図３】
2007118968.tif 000005
【図４】
2007118968.tif 000006
【図５】
2007118968.tif 000007
【図６】
2007118968.tif 000008
【図７】
2007118968.tif 000009
【図８】
2007118968.tif 000010
【図９】
2007118968.tif 000011